(57)【要約】【課題】  本考案はフォトディスクの収納ケースの構造を改善する考案で、そのフォトディスクの収納ケースはプラスチックから作られ、凸形の受け台を利用して円形くぼみと合わしてフォトディスクを固定し、フォトディスクはケース内に有効に固定され、フォトディスクを保護する効果が達成されるようにしたものである。  【解決手段】  プラスチックから作られて一体成型されたケース本体内に受け台が設置され、受け台の上側は複数個の等分に分けられた嵌め付けアームで、嵌め付けアームにはフォトディスクの内孔を嵌める嵌めほぞが設けられ、円形くぼみは受け台を中心として外周を囲った構造に成形されたことを特徴とするフォトディスクの収納ケース。  【選択図】図２
0003114883.tif 000002
【実用新案登録請求の範囲】
【請求項１】
本考案はフォトディスクの収納ケースの構造を改善するもので、それの主な構造はフォトディスクケース、受け台及び円形くぼみ等が含まれ、その中：
フォトディスクケースはプラスチックから作られて一体成型されたもので、ケース本体内には受け台が設置され、受け台の上側は複数個の等分に分けられた嵌め付けアームで、嵌め付けアームにはフォトディスクの内孔を嵌める嵌めほぞが設けられ、円形くぼみは受け台を中心として外周を囲った構造に成形されたことを特徴とするフォトディスクの収納ケース。
【請求項２】
フォトディスクの収納ケースは、フォトディスクケースの上蓋と円形くぼみ間の間隔をフォトディスクの厚さよりも小さく設計したことを特徴とする請求項１に記載したフォトディスクの収納ケース。
【考案の詳細な説明】
【技術分野】
【０００１】
本考案は、フォトディスクの収納ケースに関するものである。
【背景技術】
【０００２】
情報が爆発する時代に於いて、伝統的情報を記録する方式は応用に足らなくなっているが、幸いにコンピュータが発明されてからは厖大な情報問題を解決することができ、更に情報産業の引き起こし、新技術と科学の研究開発によって情報の処理運用はますます便利になり、現代技術によって厖大な資料または映像をフォトディスクに作ることができ、これによって携帯と収納の便利さを得られている。ところが、往々に不注意によってフォトディスクの損害が起こり、フォトディスクには多くの情報が載っているので、大量の情報流失の問題が発生する。
したがって、フォトディスク３００の保護は極めて重要なことであり、フォトディスク３００にこすり傷がついて情報の損害流失が起こることを避けるため、フォトディスク３００のケースの使用率が増えてしまい、特に映画及びゲーム産業に多く使われ、現在使用されているフォトディスクのケースは一般にプラスチックの弾性のいいもので、ケース内部の構造は図１、２に示す如く、ケース１０３に設けた円形くぼみ２００の中央に突起した受け台100が設けられ、受け台１００は嵌め付けアーム101の嵌めほぞ102を利用してフォトディスクを嵌め付けアーム１０１に嵌め付け、かつ受け台１００の四周にばね103が設置されて等分された方式によって周囲に散在し、指で嵌め付けアーム１０１の中央を押すことによってフォトディスク３００の内孔は嵌めほぞ１０２の制限から離脱し、このときはばねの反作用力によってフォトディスク３００は自動的に跳ね上がり、フォトディスク３００を取ることが便利になる。ところが、このような構造には依然不備なところがあり、すなわちプラスチック材には良好な弾性があるので、フォトディスクケースが蓋された場合、往々に持ちかたの不注意によって嵌め付けアーム１００の頂上部を押してしまい、フォトディスク３００は受け台から離脱してフォトディスクケース内でスライドし、フォトディスク３００の磨耗を導いてしまうという不都合があった。
【考案の開示】
【考案が解決しようとする課題】
【０００３】
本考案はフォトディスクの収納ケースの構造を改善する考案で、そのフォトディスクの収納ケースはプラスチックから作られ、凸形の受け台を利用して円形くぼみと合わしてフォトディスクを固定し、フォトディスクはケース内に有効に固定され、フォトディスクを保護する効果が達成されるようにしたものである。
【課題を解決するための手段】
【０００４】
上述目的を達成するため、本考案はケースの内部には凸形の受け台が設けられ、受け台の等分に分けられた嵌め付けアームにより、上端の嵌めほぞでフォトディスクにある孔を嵌め付け、フォトディスクを嵌め付けアームに嵌め付け、円形くぼみと合わしてフォトディスクを据え置き、フォトディスクを有効に固定し、フォトディスクをケースから取り出す場合は受け台の頂上部を押さえ、フォトディスクの孔を嵌めほぞから離脱させるが、円形くぼみ自身の深さがフォトディスクの厚さより大きいので、別に指で弧形溝からフォトディスクの外周を取ってフォトディスクを取り出す。それにはばねの作用がないので、フォトディスクは自動的に跳ね上がることがなく、フォトディスクのケースが蓋された場合、ケース外の不注意の押し当たりによってケースのフォトディスクを固定する効果が失うことがなく、更にケース内には当て片と阻隔板が設けられているので、フォトディスクがケース内でスライドし、フォトディスクが磨耗して損害を起こることが避けられる構成とした。
【考案の効果】
【０００５】
本考案はフォトディスクの収納ケースの構造を改善する考案で、そのケースはプラスチックから作られてフォトディスクの収納に用いられ、フォトディスクが損害を受けることが免れる機能があり、フォトディスクに記録されたデータの完全性を確保し、凸形の受け台を利用して円形くぼみと合わしてフォトディスクを固定し、フォトディスクはケース内に有効に固定され、フォトディスクの収納ケースが蓋されるとフォトディスクは外力の影響によって脱落することなく、フォトディスクを保護する効果が達成される。
【実施例１】
【０００６】
図３ないし図６に示す如く、本考案はフォトディスク４０の収納ケースの構造改善の一種で、それの主な構造はフォトディスクケース10、受け台20及び円形くぼみ30等が含まれ、その中：
フォトディスクケース10はプラスチックから作られて上蓋とケース本体が一体成型されたもので、ケース本体内には受け台20が設置され、受け台の上側は複数個の等分に分けられた嵌め付けアーム21で、その嵌め付けアームには嵌めほぞ22が設けられ、円形くぼみ30はフォトディスク40の外周の据え置きを提供することができ、円形くぼみの四周四個所にはフォトディスクの取り出しを便利にする弧形くぼみ31があり、ケース本体にある当て片11と阻隔片12はフォトディスクケースの上蓋が蓋されたとき、フォトディスクが円形くぼみ内から脱出することを防止することができる。
フォトディスク40をフォトディスクケース10内に据え置く場合、フォトディスクの孔41を受け台20の頂上部に合わせ、それを押すことによって嵌め付けアーム21は下へ彎曲し、フォトディスクの孔は嵌め付けアームの嵌めほぞ22を通り、嵌め付けアームは弾性復帰して嵌めほぞはフォトディスクを嵌め付けアームに嵌め付け、かつフォトディスクは円形くぼみ30内に納まり、嵌めほぞと円形くぼみに制限されているので、フォトディスクは効果的に固定される。更にフォトディスクケースが蓋されると、フォトディスクはケース自身の頂上片11と阻隔片12の制限を受け、更に受け台の頂上部が押さえられてケース内のフォトディスクが円形くぼみ30から離脱し、フォトディスクがケース内でスライドして磨耗される困りごとを受けないように保護する。ケースからフォトディスクを取り出す場合は受け台の頂上部を押し、指で円形くぼみの孤形くぼみ31を通じて直接取り出すことができる。
フォトディスクの収納ケースの厚さを縮小する場合、フォトディスクケースの上蓋と円形くぼみ間の間隔をフォトディスクの厚さよりも小さく設計し、こうすれば定位置を補助する頂上片と阻隔片の効果と入れ替えることができる。
上述をまとめると、ここに開示したフォトディスクの収納ケースの構造改善は、主としてプラスチック材の弾性を利用し、受け台20と円形くぼみ30の組み合わせ運用により、フォトディスクを有効に固定する方法が達成される。
【図面の簡単な説明】
【０００７】
【図１】従来の構造の局部断面図である。
【図２】従来の構造の実施意表図である。
【図３】本考案の構造の立体系統図である。
【図４】本考案の構造の断面図である。
【図５】本考案の構造の実施意表図である。
【図６】本考案の構造の実施意表図である。
【図７】本考案の別例の実施意表図である。
【図８】本考案の別例の実施意表図である。
【符号の説明】
【０００８】
１０        フォトディスクケース
１１        当て片
１２        阻隔片
１００      受け台
１０１      嵌め付けアーム
１０２      嵌めほぞ
１０３      ばね
２０        受け台
２１        嵌め付けアーム
２２        嵌めほぞ
３０        円形くぼみ
３１        孤形くぼみ
３００      フォトディスク
４０        フォトディスク
４１        孔
【図１】
0003114883.tif 000003
【図２】
0003114883.tif 000004
【図３】
0003114883.tif 000005
【図４】
0003114883.tif 000006
【図５】
0003114883.tif 000007
【図６】
0003114883.tif 000008
【図７】
0003114883.tif 000009
【図８】
0003114883.tif 000010